(57)【要約】【課題】外部電子機器にディスクトレイを出し入れさせる制御のみを行なわせるディスクドライブ用ブリッジデバイスを提供すること。【解決手段】ディスクドライブ用ブリッジデバイスは、外部自動制御装置３０が接続されるＩ／Ｏ端子１３１を有し、したがって外部自動制御装置３０はディスクドライブ２０のディスクトレイをコンピュータ４０なしで出し入れするように直接的に制御する。加えて、ブリッジデバイスはさらに外部コンピュータ４０が接続されるコンピュータ接続ポート１４１も有する。コンピュータ４０はまた、ディスクドライブ２０の駆動を制御する。【選択図】      図１
0003141683.tif 000002
【実用新案登録請求の範囲】
【請求項１】
ディスクドライブ用ブリッジデバイスにおいて、
ディスクドライブに接続するように構成されるディスク接続ポートと、
前記接続ポートに電気的に接続されるディスク接続インターフェースと、
外部自動制御装置に接続するように構成されるディスクトレイ制御インターフェースと、
前記ディスク接続ポート及び前記ディスクトレイ制御インターフェースにそれぞれ電気的に接続されるとともに第１復号及び符号化処理を有する処理装置であって、該処理装置は前記ディスク接続インターフェース用の第１データフォーマットをディスクトレイ制御インターフェース用の第２データフォーマットに双方向変換すべく第１復号及び符号化処理を行なうことと、
を備えるブリッジデバイス。
【請求項２】
前記ディスクトレイ制御インターフェースは汎用入出力（ＧＰＩＯ）インターフェースであるとともに、
ディスクトレイを出し入れするように制御する入力端子と、
ディスクトレイの「入」状態または「出」状態に対応する出力端子と、
を備える請求項１に記載のブリッジデバイス。
【請求項３】
前記ディスクトレイ制御インターフェースは汎用入出力（ＧＰＩＯ）インターフェースであり、
ディスクトレイを入るように制御する第１入力端子と、
ディスクトレイを引き出すように制御する第２入力端子と、
ディスクトレイの「入」状態に対応する第１出力端子と、
ディスクトレイの「出」状態に対応する第２出力端子と、
を備える請求項１に記載のブリッジデバイス。
【請求項４】
前記ディスク接続インターフェースはシリアル・アドバンスド・テクノロジ・アタッチメント・フィジカル・レイヤ（ＳＡＴＡ  ＰＨＹ）コントローラまたは統合開発環境（ＩＤＥ）コントローラであり、前記ディスク接続ポートはＳＡＴＡポートまたはＩＤＥポートである請求項１〜３のいずれか一項に記載のブリッジデバイス。
【請求項５】
外部コンピュータに接続するように構成されるコンピュータ接続ポートと、
前記処理装置に電気的に接続されるコンピュータ接続インターフェースと、をさらに備え、
前記処理装置は第２復号及び符号化処理を有し、前記処理装置は、前記ディスク接続インターフェース用の前記第１データフォーマットを前記コンピュータ接続インターフェース用の第３データフォーマットに双方向変換すべく第２復号及び符号化処理を行なう請求項１〜３のいずれか一項に記載のブリッジデバイス。
【請求項６】
外部コンピュータに接続するように構成されるコンピュータ接続ポートと、
前記処理装置に電気的に接続されるコンピュータ接続インターフェースと、をさらに備え、
前記処理装置は第２復号及び符号化処理を有し、前記処理装置は、前記ディスク接続インターフェース用の前記第１データフォーマットを前記コンピュータ接続インターフェース用の第３データフォーマットに双方向変換すべく第２復号及び符号化処理を行なう請求項４に記載のブリッジデバイス。
【請求項７】
前記コンピュータ接続インターフェースはユニバーサル・シリアル・バス・フィジカル
・レイヤ・シリアル・インターフェース・エンジン（ＵＳＢ  ＰＨＹ  ＳＩＥ）チップまたはＩＥＥＥ  １３９４  フィジカル・レイヤ（ＰＨＹ）チップであり、前記コンピュータ接続ポートはＵＳＢポートまたはＩＥＥＥ  １３９４ポートである請求項５に記載のブリッジデバイス。
【請求項８】
前記コンピュータ接続インターフェースはユニバーサル・シリアル・バス・フィジカル・レイヤ・シリアル・インターフェース・エンジン（ＵＳＢ  ＰＨＹ  ＳＩＥ）チップまたはＩＥＥＥ  １３９４  フィジカル・レイヤ（ＰＨＹ）チップであり、前記コンピュータ接続ポートはＵＳＢポートまたはＩＥＥＥ  １３９４ポートである請求項６に記載のブリッジデバイス。
【考案の詳細な説明】
【技術分野】
【０００１】
本考案は、ディスクドライブ用ブリッジデバイスに関し、特にディスクトレイ制御インターフェースを有するブリッジデバイスに関する。前記ディスクトレイ制御インターフェースは、外部自動制御装置がディスクドライブのディスクトレイを出し入れするように制御することを可能にするとともにディスクトレイの現在の状態を得ることを可能にする。
【背景技術】
【０００２】
ディスクドライブとコンピュータとは異なるデータフォーマットを用いるので、一般的なディスクドライブはコンピュータと通信するためにブリッジデバイスを必要とする。
図６を参照すると、ディスクドライブ５０はコンピュータ４０と電気的に接続される。コンピュータ４０はＵＳＢポート４１を有する。ブリッジデバイス５１もＵＳＢポート５１１を有するため、ブリッジデバイス５１のＵＳＢポート５１１はコンピュータ４０のＵＳＢポート４１に接続される。ブリッジデバイスは、ディスクドライブ５０からのディスクデータをコンピュータデータフォーマットに変換、またはコンピュータ４０からのコンピュータデータをディスクデータフォーマットに変換する。したがって、コンピュータ４０はディスクドライブ５０を駆動するべく制御コマンドを出力するとともに、その後ディスクデータ及びディスクトレイ状態を得る。
【考案の開示】
【考案が解決しようとする課題】
【０００３】
前記の記載に基づくと、ディスクドライブはブリッジデバイスを介してコンピュータによって駆動される。しかしながら、現在の自動制御装置は複数のディスクドライブを駆動制御するので、一つまたは複数のコンピュータが必要となる。したがって、自動制御装置によって複数のディスクドライブを制御するコストは安くはない。
【課題を解決するための手段】
【０００４】
本考案の目的は、外部電子機器にディスクトレイを出し入れさせる制御のみを行なわせるディスクドライブ用ブリッジデバイスを提供することにある。
ディスクドライブ用ブリッジデバイスは、外部機器が接続されるＩ／Ｏ端子を有し、したがって外部機器はディスクドライブのディスクトレイをコンピュータなしで出し入れするように直接的に制御する。加えて、ブリッジデバイスはさらに外部コンピュータが接続されるコンピュータ接続ポートも有する。コンピュータはディスクドライブの作動を制御する。
【０００５】
本考案の他の目的、利点、及び新規な特徴は、添付の図面とともに後述の詳細な説明から明確となるであろう。
【考案を実施するための最良の形態】
【０００６】
図１を参照すると、ディスクドライブ２０用ブリッジデバイス１０は、ディスク接続ポート１２１、ディスク接続インターフェース１２、多重入出力（Ｉ／Ｏ）端子１３１、ディスクトレイ制御インターフェース１３、データバス１５、及び処理装置１１を有するとともに、コンピュータ接続ポート１４１及びコンピュータ接続インターフェース１４を有してもよい。
【０００７】
ディスク接続ポート１２１は、ディスクドライブ２０の通信ポート２１に接続するために用いられる。ディスク接続ポート１２１はディスク接続インターフェース１２に電気的に接続される。ディスク接続インターフェース１２はさらに、データバス１５を介して処
理装置１１に電気的に接続される。この好適な実施形態では、前記ディスク接続インターフェース１２はシリアル・アドバンスド・テクノロジ・アタッチメント・フィジカル・レイヤ（以降ＳＡＴＡ  ＰＨＹ）コントローラであり、したがって前記ディスク接続ポート１２１はＳＡＴＡポートである。図２及び図４を参照すると、ディスク接続インターフェース１２は統合開発環境（以降ＩＤＥ）コントローラであり、したがってディスク接続ポート１２１はＩＤＥポートである。
【０００８】
前記Ｉ／Ｏ端子１３１は外部自動制御装置３０に接続するために用いられる。Ｉ／Ｏ端子１３１はディスクトレイ制御インターフェース１３に電気的に接続される。ディスクトレイ制御インターフェース１３はデータバス１５を介して処理装置１１に電気的に接続される。この好適な実施形態では、ディスクトレイ制御インターフェース１３は汎用入出力（以降ＧＰＩＯ）インターフェースである。前記Ｉ／Ｏ端子１３１は、一つの入力端子及び一つの出力端子を有するか、または第１及び第２入力端子と第１及び第２出力端子とを有してもよい。第１の場合においては、例えば前記ＧＰＩＯインターフェース１３は、一つの出力端子における高電圧「１」が現在のディスクトレイの「入」状態を示すとともにその出力端子における低電圧「０」が現在のディスクトレイの「出」状態を示すことを定義する。前記ＧＰＩＯインターフェース１３はまた、一つの入力端子における負の移行「１→０」がディスクトレイを引き出すように制御することを示すとともにその入力端子における正の移行「０→１」がディスクトレイを入るように制御することを示すことを定義する。第２の場合においては、例えば前記ＧＰＩＯインターフェース１３は、第１出力端子における高電圧「１」が現在のディスクトレイの「出」状態を示すとともに第２出力端子における高電圧「１」が現在のディスクトレイの「入」状態を示すことを定義する。前記ＧＰＩＯインターフェース１３はまた、第１入力端子における高電圧「１」がディスクトレイを引き出すように制御することを示すとともに第２入力端子における高電圧「１」がディスクトレイを入るように制御することを示すことを定義する。
【０００９】
前記コンピュータ接続ポート１４１は、コンピュータ４０の対応する通信ポート４１に接続するために用いられる。コンピュータ接続ポート１４１は、コンピュータ接続インターフェースに電気的に接続される。コンピュータ接続インターフェース１４は、さらにデータバス１５を介して前記処理装置１１に電気的に接続される。この好適な実施形態では、前記コンピュータ接続インターフェース１４はユニバーサル・シリアル・バス・フィジカル・レイヤ・シリアル・インターフェース・エンジン（ＵＳＢ  ＰＨＹ  ＳＩＥ）チップであり、したがってコンピュータ接続ポート１４１はＵＳＢポートである。図３及び図４を参照すると、前記コンピュータ接続インターフェース１４はＩＥＥＥ  １３９４  ＰＨＹチップであり、したがってコンピュータ接続ポート１４１はＩＥＥＥ  １３９４ポートである。
【００１０】
前記処理装置１１は、第１復号及び符号化処理と第２復号及び符号化処理とを有する。処理装置１１は、ディスク接続インターフェース１２用の第１データフォーマットをディスクトレイ制御インターフェース１３用の第２データフォーマットに双方向変換すべく前記第１復号及び符号化処理を行なう。処理装置１１は、ディスク接続インターフェース１２用の第１データフォーマットをコンピュータ接続インターフェース１４用の第３データフォーマットに双方向変換すべく、前記第２復号及び符号化処理を行なう。図１〜図４を参照すると、複数の種類のディスク接続インターフェース１２及びコンピュータ接続インターフェース１４があり、したがって処理装置１１は、前記第１及び／または第２復号及び符号化処理を実行するために、少なくとも２種類のデータフォーマット（ＳＡＴＡフォーマット及びＵＳＢフォーマット、ＩＤＥフォーマット及びＵＳＢフォーマット、ＳＡＴＡフォーマット及びＩＥＥＥ１３９４フォーマット、またはＩＤＥフォーマット及びＩＥＥＥ１３９４フォーマット）を予め格納している。
【００１１】
図５をさらに参照すると、前記第１復号及び符号化処理は、前記ディスク接続インターフェース１２がディスク接続ポート（ＳＡＴＡポート／ＩＤＥポート）を介して前記ディスクドライブからディスクデータを受信したことを前記処理装置１１が検出した後に実行される。前記処理装置１１がディスクデータを受信した後、前記処理装置１１はディスクデータを復号するとともに、その後前記復号されたディスクデータからディスクトレイ状態データを抽出する。前記処理装置１１はさらにディスクトレイ状態データを第２データフォーマットのディスク状態対応データに符号化し、したがって前記ディスクトレイ制御インターフェース１３は処理装置１１から前記第２データフォーマットの前記ディスク状態対応データを取得することに成功する。したがって、前記外部自動制御装置３０は前記Ｉ／Ｏポートの出力端子を介して規定のディスクトレイ状態（「入」または「出」）を取得する。
【００１２】
前記外部自動制御装置３０が入力端子を介してディスクトレイ制御指令を前記ディスクトレイ制御インターフェース（１３）に出力するとき、前記処理装置１１はディスクトレイ制御指令を復号し、その後前記第２データフォーマットにしたがって前記復号されたディスクトレイ制御指令から制御データを抽出する。その後、前記処理装置１１は、前記制御データを第１データフォーマットに符号化するとともに、その後第１データフォーマットの制御データを前記ディスク接続インターフェース１２に出力する。したがって、前記ディスクドライブ２０は、前記外部自動制御装置３０から前記制御データを受信することに成功するとともに、その後前記制御データに従ってディスクトレイを出し入れすべく前記ディスクトレイを駆動する。
【００１３】
前記処理装置１１が前記ディスク接続インターフェース１２からディスクデータを受信した後、処理装置１１は復号されたディスクデータを第３データフォーマットに同時に符号化する。その後、処理装置１１は前記第３データフォーマットに符号化されたディスクデータをコンピュータ接続インターフェース１４に出力し、したがって前記外部コンピュータ４０は前記コンピュータ接続ポート１４１（ＵＳＢポート／ＩＥＥＥ１３９４ポート）を介して前記ディスクドライブ２０からディスクデータを受信することに成功する。
【００１４】
コンピュータ接続インターフェース１４が前記第３データフォーマットのコンピュータデータを出力したことを処理装置１１が検出したとき、前記第２復号及び符号化処理が実行される。前記処理装置１１は前記コンピュータ４０からのコンピュータデータを復号するとともに、その後、復号されたコンピュータデータを第１データフォーマットに符号化し、したがって前記ディスク接続インターフェース１２は第１データフォーマットに符号化されたコンピュータデータをディスクドライブ２０に伝送する。
【００１５】
上記の記載に基づくと、本考案に係るブリッジデバイス１０は、外部自動制御装置３０が接続されるＩ／Ｏ端子１３１を有し、したがって前記外部自動制御装置３０は前記ディスクドライブ２０のディスクトレイをコンピュータなしで出し入れするように直接的に制御する。加えて、ブリッジデバイス１０は外部コンピュータ４０が接続されるコンピュータ接続ポート１４１をさらに有する。前記コンピュータ４０はまた、ディスクドライブ２０を駆動する。
【００１６】
本考案の構造及び特徴の詳細とともに本考案の多くの特徴及び利点が上記の記載で説明されたが、開示は単に例示である。係属中の請求項が、表現される用語の広く一般的な意味によって示される本考案の定義内にある限り、特に形状、大きさ、及び部材の配置の詳細に関して変更が行なわれてもよい。
【図面の簡単な説明】
【００１７】
【図１】本考案の第１実施形態に係るディスクドライブ用ブリッジデバイスを示す機能的なブロック図。
【図２】本考案の第２実施形態に係るディスクドライブ用ブリッジデバイスを示す機能的なブロック図。
【図３】本考案の第３実施形態に係るディスクドライブ用ブリッジデバイスを示す機能的なブロック図。
【図４】本考案の第４実施形態に係るディスクドライブ用ブリッジデバイスを示す機能的なブロック図。
【図５】本考案に係るブリッジデバイスの処理装置における第１符号化及び復号処理及び第２符号化及び復号処理を示すフローチャート。
【図６】先行技術に係るディスクドライブ用の従来のブリッジデバイスを示す機能的なブロック図
【符号の説明】
【００１８】
１０…ブリッジデバイス、１１…処理装置、１２…ディスク制御インターフェース、１３…ディスクトレイ制御インターフェース、１４…コンピュータ接続インターフェース、２０…ディスクドライブ、３０…自動制御装置、４０…外部コンピュータ、１２１…ディスク接続ポート、１３１…Ｉ／Ｏ端子、１４１…コンピュータ接続ポート。
【図１】
0003141683.tif 000003
【図２】
0003141683.tif 000004
【図３】
0003141683.tif 000005
【図４】
0003141683.tif 000006
【図５】
0003141683.tif 000007
【図６】
0003141683.tif 000008